(57)【要約】【課題】  筆記具の装着位置を選択的に変えることができ、ノート等の被着体の持ち運びや収納又は被着体の開閉及び使用に際して筆記具の存在が邪魔になることのない筆記具ホルダーを提供すること。【解決手段】        被着体となるノート等に着脱自在に設けられた筆記具ホルダーであって、筆記具ホルダーはノートを挟み込んで装着する挟持部材ＨＳを持ち、挟持部材ＨＳは挟持部本体Ｈ１と挟持部本体Ｈ１内部から切り抜かれた挟持板Ｈ２からなり、挟持板Ｈ２は連結部材Ｈ３により挟持部本体Ｈ１と連結され、前記挟持部材ＨＳの延長上端部は筆記具の外周形状に倣って湾曲させた保持部材Ｈ４とを備える。筆記具Ｐは保持部材Ｈ４の内側又は外側に支持される【選択図】  図２
2006103129.tif 000002
【特許請求の範囲】
【請求項１】
ノート、ファイル或いは書籍等を被着体（Ｎ）として、当該被着体（Ｎ）に着脱自在に設けられる筆記具ホルダー（Ｈ）であって、被着体（Ｎ）を挟み込む挟持部材（ＨＳ）を持ち、前記挟持部材（ＨＳ）は挟持部本体（Ｈ１）と挟持部本体（Ｈ１）内部から切り抜かれた挟持板（Ｈ２）からなり、前記挟持板（Ｈ２）は連結部材（Ｈ３）により挟持部本体（Ｈ１）に連結され、前記挟持部材（ＨＳ）の端部延長部は筆記具（Ｐ）の外周形状に倣って湾曲させた保持部材（Ｈ４）を備え、前記保持部材（Ｈ４）の内側又は外側に筆記具（Ｐ）を保持可能に設けたことを特徴とする筆記具ホルダー。
【請求項２】
請求項１記載の筆記具ホルダー（Ｈ）において、前記挟持板（Ｈ２）には、前記被着体（Ｎ）への装着時のガイド片（Ｈ２２）と係止を促す突起部材（Ｈ２３）が設けられていることを特徴とする筆記具ホルダー。
【請求項３】
請求項１又は２項に記載の筆記具ホルダー（Ｈ）において、湾曲させた前記保持部材（Ｈ４）の一部は平たん部を有し、前記平たん部の略中央部の内側又は外側に筆記具（Ｐ）の挟持板（Ｐ１）に設けた突起部材（Ｐ２）を係止するための凸部（Ｈ４６）備えたことを特徴とする筆記具ホルダー。
【発明の詳細な説明】
【技術分野】
【０００１】
本発明は、筆記具ホルダーに係り、更に詳しくはノート、ファイル或いは書籍等の端部、表紙又は内部の一部を領域に筆記具を支持できる筆記具ホルダーに関する。
【背景技術】
【０００２】
ノート・ファイル或いは書籍等を被着体として当該被着体の端部に筆記具を一体的に保持可能とする筆記具ホルダーが知られている（特許文献１参照）。特許文献１に示された筆記具ホルダー１1は図１に示されているようにノート１０の端部に着脱自在に設けられた筆記具ホルダー１１であって、ノート１０を挟み込んでこれに装着される一対の挟持板１５とこれら挟持板１５の端部を相互に連結する連結板１６と、一方の挟持板１５から連結板１６を回って他方の挟持板１５に掛け回された帯状部材１７とを備える。筆記具Ｐは、帯状部材１７と挟持板１５との間、帯状部材１７と連結板１６との間に挿入された状態で帯状部材１７の締付力によって保持されている。
【０００３】
前記筆記具ホルダー１１によれば、帯状部材１７と挟持板１５との間、帯状部材１７と連結板１６との間に挿入された状態で帯状部材１７の締付力によって、当該筆記具Ｐをノート１０の脇に筆記具一体的に保持でき、持ち運び、収納の際しても不都合はない。
【特許文献１】特開平１１−３１５０１９号公報
【発明の開示】
【発明が解決しようとする課題】
【０００４】
しかしながら、上記の筆記具ホルダー１1にあっては、被着体１０の端部に筆記具Ｐを装着し、一体的に保持するため、被着体１０の開閉の度、筆記具ホルダー１1を取り外すことになり不都合が生じる。また、筆記具ホルダー１1は部材が多く、製作の作業工程が長い。
【０００５】
本発明は、このような従来の構成が有していた問題を解決しようとするものであり、その目的は筆記具の装着位置を自在に変えることができ、ノート等の被着体への着脱も携帯及び収納に際して筆記具の存在が邪魔になることなく、また、筆記具の収納・取り出しも簡便で使用者に優しいペンホルダーを提供することを目的とする。
【課題を解決するための手段】
【０００６】
前記目的を達成するため、本発明は、ノート、ファイル或いは書籍等を被着体として、当該被着体の着脱自在に設けられた筆記具ホルダーであって、被着体を挟み込む挟持部材を持ち、挟持部材は挟持部本体と挟持部本体内部から切り抜かれた挟持板からなり、前記挟持板は連結部材により挟持部本体と連結され、前記挟持部材の端部延長部から筆記具の外周形状に倣って湾曲させた保持部材を備え、前記保持部材の内側又は外側に筆記具を保持可能な構成をとっている。このような構成にすれば、被着体に筆記具を保持した又は保持していない筆記具ホルダーを装着した状態でも、開閉が可能となる。なお、筆記具ホルダーの挟持板に被着体への装着時のガイド片と係止を促す突起部材が設けられていても良い。更に、湾曲させた保持部材の一部は平たん部を有し、前記平たん部の略中央部の内側又は外側に筆記具の挟持板に設けた突起部材を係止するための凸部を備えておくことも好ましい。
【発明の効果】
【０００７】
上述したように、本発明の筆記具ホルダーは、被着体を挟み込む挟持部材を持ち、前記挟持部材は挟持部本体と挟持部本体内部から切り抜かれた挟持板からなり、前記挟持板は連結部材により挟持部本体と連結され、前記挟持部材の端部延長部を筆記具の外周形状に倣って湾曲させた保持部材があり、前記保持部材の内側又は外側に筆記具を保持可能としたため、筆記具ホルダーを被着体の端部、表紙面及び被着体内部に取り付け可能となる。表紙等に挟持可能のため上記のように筆記具ホルダーと被着体が一体となることはなく、開閉又は使用の際して、取り外す必要がなくなる。また、筆記具を保持した状態で被着体を携帯する場合でも、筆記具が被着体面内に位置しないため、筆記具が邪魔になるという不都合はない。同様に面内に位置しないため、被着体の厚みを増さず書棚に収納する際の不都合もない。更に筆記具を保持部材の内側に保持したときは、筆記具ホルダーを装着した状態にある被着体を鞄等に収納して持ち運ぶ場合に有利となる。
【０００８】
また一枚の部材から挟持部材、連結部材、保持部材を構成することで、一体成型が可能となり、製作に有利となる。
【０００９】
更に、挟持板は挟持部本体内部から切り抜かれており、連続部材により挟持部本体と連結している。この構成により、挟持部材はスプリング機能を持ち、相互に接近する方向に挟持力を発生することができる。また、挟持板の先端に被着体への装着ガイド片を設けることで、被着体に無理なく筆記具ホルダーを装着することが出来る。被着体と接する挟持板面に突起部材を設けることで、筆記具ホルダーの抜け落ち防止効果がある。
【００１０】
また、保持部材が筆記具の外周形状に倣って一部湾曲にすることで、筆記具を保持部材の内側に保持したとき、当該筆記具の軸線位置を安定的に保った状態で保持可能となる。
更に、前記保持部材の一部を平たん部にすることで、滑らかに筆記具を差し込めることができ、その平たん部の略中央部に凸部を設けることで筆記具の抜け落ちを防止することができる。前記保持部材の端部を巻き込み形状にすることで筆記具の滑り落ちを防止することができる。
【発明を実施するための最良の形態】
【００１１】
以下、本発明の実施の形態を図１〜４に基づいて説明する。
図１は本発明の実施例を示すペンホルダーの概略斜視図であり、図２は同ペンホルダーの平面図、図３は同ペンホルダーの図１のＡ―Ａ線断面図、図４は同ペンホルダーの斜視図である。
【００１２】
筆記具ホルダーＨがノート等に適用された図１と図４からもわかるように、ノート、ファイル或いは書籍等を被着体Ｎとして、当該被着体Ｎの端部、被着体の表紙Ｎ１又は被着体内部Ｎ２の一部に着脱自在に設けられた筆記具ホルダーＨであって、前記被着体Ｎを挟み込む一対の挟持部材ＨＳを持ち、前記挟持部材ＨＳは挟持部本体Ｈ１と挟持部本体Ｈ１内部から切り抜かれた挟持板Ｈ２からなっている。
【００１３】
前記挟持板Ｈ２は連結部材Ｈ３により挟持部本体Ｈ１に連結され、前記挟持部材ＨＳの端部延長部は筆記具Ｐの外周形状に倣って湾曲させた保持部材Ｈ４を備え、前記保持部材Ｈ４の内側又は外側に筆記具Ｐを保持した状態で当該筆記具ホルダーＨを被着体Ｎに装着できるように構成されている。
【００１４】
筆記具ホルダーＨのサイズは横幅４〜５ｃｍ程度、縦幅４ｃｍ以上で、筆記具Ｐを保持した状態で被着体Ｎに装着可能な大きさでよく、保持部材Ｈ４２・Ｈ４３が筆記具Ｐを保持できる長さであればよい。具体的には、保持部材ＨＫの横幅は筆記具Ｐの挟持部材Ｐ1が持つ突起部材Ｐ２の１〜２ｍｍより大きく、縦幅は筆記具Ｐの挟持部材Ｐ1より長い４ｃｍ以上とする。
挟持部本体Ｈ１内部から切り抜かれた挟持板Ｈ２の形状は図２ではコの字にしているが、挟持部材ＨＳの役割を達成できるのであれば、形状は問わない。
【００１５】
一枚の部材から挟持部材ＨＳ、連結材部Ｈ３、保持部材Ｈ４を構成するので、一体成型が可能となる。これにより、材質はプレス加工が可能とするプラスチック素材（ＡＢＳ樹脂等）若しくは金属（ステンレス）といった筆記具Ｐを保持でき、被着体Ｎを挟み込むとき、強制的に開くことに耐えうる硬さと弾性力を持つものであればよい。厚みは０．５〜１ｍｍ程の範囲が好ましいが、使用材質が各々の役割をこなせる適切な薄さであればよい。
ただし、挟持部材ＨＳ間にある連結部材Ｈ３は挟持部材ＨＳの開閉の負担がかかるので、強度を増すために挟持部材は金属で、他はＡＢＳ樹脂という異なる組み合わせ素材で製作も可能とする。
【００１６】
前記連結部材Ｈ３は挟持部材ＨＳの離間した関係を連結するもので、角度は５〜４５度程度、長さは５ｍｍ程度とするが、被着体Ｎを支障なく挟み込むことが出来、挟持部材ＨＳの弾性力に耐えうる形状であれば良い。
【００１７】
挟持部本体Ｈ１と挟持板Ｈ２の被着体を差し込む側の両端部は相互に接近若しくは接触する程度の位置を初期位置とし、これらを強制的に開いた時に生ずる復帰力が被着体Ｎを挟みつける力として作用するようになっている。復帰力を援護するべく、被着体Ｎと挟持板Ｈ２の接触面に突起部材Ｈ２３が設けられている。これにより復帰力に押込力が加わり、被着体Ｎから筆記具ホルダーＨがずれ落ちることを防止している。突起部材は１ｍｍ程の範囲が好ましいが、係止を促せるサイズであれば良い。
挟持板Ｈ２は長い掴み挟持部本体Ｈ１に対して次第に離間する方向に傾斜した形状に設けられていて、先端にはガイド片Ｈ２２が備えられている。これにより、筆記具ホルダーＨを被着体Ｎの端部、表紙Ｎ1及び被着体内部Ｎ２等の一部に装着する際の差し込み用の案内が容易且つスムースに行えるようになっている。
【００１８】
図２からもわかるように保持部材Ｈ４は筆記具Ｐを保持する保持部材ＨＫを持ち、前記保持部材ＨＫは挟持部本体Ｈ１の端部延長上から被着体Ｎ面方向と同じ面に位置する保持材Ｈ４２と、保持材Ｈ４２と直行する関係である保持材Ｈ４３からなり、前記挟持部材ＨＫを連結する湾曲した連結材Ｈ４４と、前記保持材Ｈ４３端部に巻き込み材Ｈ４５が接続されている。保持部材ＨＫは平たん面で構成されており、これによって滑らかに筆記具Ｐを差し込め、安定して筆記具Ｐを保持できる。保持部材ＨＫの略中央部内側には凸部Ｈ４６を設けている。これにより、筆記具Ｐの着脱に不自由しない程度の小さな障害を与えることになり筆記具Ｐが抜けにくいようになっている。また、巻き込み材Ｈ４５により、筆記具Ｐを保持部材ＨＫに保持した際、筆記具Ｐが横にずれないようになっている。
図４では凸部Ｈ４６は保持部材の内側に位置しているが、限定することはなく外側でもよい。また、凸部Ｈ４６は連結材Ｈ４４を含めた保持材Ｈ４２からＨ４３までの略中央部内側に設置されているが、筆記具Ｐの抜け落ち防止できれば、保持部材ＨＫだけでも可能である。サイズも０．３〜０．５ｍｍ程度の凸部が好ましいが、筆記具の抜け落ち防止可能であれば良い。
【００１９】
以下、本発明の実施の形態を図１・５〜７に基づいて説明する。
【００２０】
図１と図５〜７からもわかるように、筆記具Ｐの保持は保持部材ＨＫの内側・外側どちらでもよいものとし、前記保持例と異なった方法があっても構わないものとする。
【図面の簡単な説明】
【００２１】
【図１】本発明の実施例を示すペンホルダーの概略斜視図
【図２】同ペンホルダーの平面図
【図３】同ペンホルダーの図１のＡ―Ａ線断面図
【図４】同ペンホルダーの斜視図
【図５】本発明の使い方を示すペンホルダーの概略斜視図
【図６】本発明の使い方を示すペンホルダーの概略斜視図
【図７】本発明の使い方を示すペンホルダーの概略斜視図
【符号の説明】
【００２２】
Ｈ        筆記具ホルダー
Ｈ１      挟持部本体
Ｈ２      挟持板（挟持部材）
ＨＳ      挟持部材（Ｈ１とＨ２を総称）
Ｈ２２    ガイド片
Ｈ２３    突起部材（突起部材）
Ｈ３      連結部材
Ｈ４      保持部材
Ｈ４２    保持材（保持部材）
Ｈ４３    保持材（保持部材）
ＨＫ      保持部材（Ｈ４２とＨ４３を総称）
Ｈ４４    連結材（連結部材）
Ｈ４５    巻き込み材（連結部材）
Ｈ４６    凸部
Ｎ        被着体
Ｎ１      被着体の表紙
Ｎ２      被着体内部
Ｐ        筆記具
Ｐ１      筆記具の挟持材
Ｐ２      筆記具の突起材
【図１】
2006103129.tif 000003
【図２】
2006103129.tif 000004
【図３】
2006103129.tif 000005
【図４】
2006103129.tif 000006
【図５】
2006103129.tif 000007
【図６】
2006103129.tif 000008
【図７】
2006103129.tif 000009